Podtech/llm-jp-corpus-v4-ja_patent huggingface dataset:
(57)【要約】      （修正有）【課題】ＵＳＢ機器の、極めて小型で有りながら実効性があり、省電力でデザイン性に優れた製品の特徴を生かすとともに、限られた空間であっても、ゆったりとした寛ぎを感じる空間を演出できる棚を提供する。【解決手段】棚板１にＡＣ電源コード４、ＡＣコンセント、及び、ＵＳＢアダプター、ＵＳＢ人感センサー８、ＵＳＢハブ、ＵＳＢ・ＬＥＤ照明スタンド１２を設置し、Ｌアングル１４、吊り下げ具、両面テープ、ネジ、釘、アンカー等を用いて、壁面や家具などの一部に取り付け、ＡＣ電源を用いる電気器具と、パソコンを使わずに、ＵＳＢ周辺機器の二通りの製品が使用出来る様にした。【選択図】図３
0003201179.tif 000002
【実用新案登録請求の範囲】
【請求項１】
棚板に、ＡＣ電源コード、ＡＣコンセント、及び、ＵＳＢアダプター、ＵＳＢ人感センサー、ＵＳＢハブ、ＵＳＢ・ＬＥＤ照明スタンドを設置し、Ｌアングル、吊り下げ具、両面テープ、ネジ、釘、アンカー等を用いて、被壁面や家具の一部に取り付け、ＡＣ電源を用いる電気器具と、パソコンを使わずに、ＵＳＢ周辺機器の二通りの製品が使用出来る様にした事を特徴とする、棚。
【考案の詳細な説明】
【技術分野】
【０００１】  本考案は、被壁面や家具等に取り付け、ＡＣ電源を用いる電気器具と、パソコンを使わずに、ＵＳＢ周辺機器の二通りの製品が使用出来る様にした、棚に関するものである。
【背景技術】
【０００２】  我が国の、特に都市部の家庭に於いては、ゆったりと寛げる空間が少ない事が多い。一方、現在はパソコン周辺機器として、極めて小型で、省電力であり、デザイン性に優れた、ＵＳＢ人感センサー、ＵＳＢ・ＬＥＤ照明スタンド、ＵＳＢ扇風機、携帯音響機器、ゲーム機、等のＵＳＢ機器が製品化されている。
【先行技術文献】
【非特許文献】
【０００３】
【非特許文献１】  「サンコー株式会社  ＵＳＢ動作検知スイッチ簡易取り扱いマニュアル」２０１５−７月
【０００４】
【非特許文献２】  「サンワサプライ株式会社  ＵＳＢタッチＬＥＤスタンド製品取り扱い説明書」２０１５−７月
【０００５】
【非特許文献３】  「サンワサプライ株式会社  ＵＳＢ扇風機製品取り扱い説明書」２０１５−７月
【考案の概要】
【考案が解決しようとする課題】
【０００６】  日本の家屋の多くは、例えば父親の書斎、子供部屋、キッチン、トイレ等々、ゆとりのある充分な広さがない事が多い。【０００７】  そうした課題を考えた時、ＵＳＢ機器の、極めて小型で有りながら、実効性があり、省電力で、デザイン性に優れた製品の特徴を生かして構成し、限られた空間であっても、ゆったりとした寛ぎを感じる空間を演出したい。【０００８】  しかし、現在、ＵＳＢ機器のこうした利点を組み合わせ、構成して製品として具体的に、前述の課題の解決に貢献している物はない。【０００９】  本考案は、こうした課題を解決するためになされたものである。
【課題を解決するための手段】
【００１０】  棚板に、ＡＣ電源コード、ＡＣコンセント、及びＵＳＢアダプター、ＵＳＢ人感センサー、ＵＳＢハブ、ＵＳＢ・ＬＥＤ照明スタンド、を設置し、Ｌアングル、吊り下げ具、両面テープ、ネジ、釘、アンカーなどを用いて、被壁面や家具の一部に取り付け、ＡＣ電源を用いる電気器具と、パソコンを使わずにＵＳＢ周辺機器の二通りの製品が使用出来る構造として、本考案の棚として、課題を解決する。、
【考案の効果】  パソコン周辺機器として製品化されているＵＳＢ機器は、極めて小型で、実効性があり、安価で、省電力であり、その上、デザイン性にも優れたものが多い。【００１２】  本考案は，これらの事に着目し、我が国の多くの家屋事情を考察し、家庭の小さなスペースを最大限有効に生かす為に、ＡＣ機器用のコンセントに加えて、複数のＵＳＢポートを持つＵＳＢハブを配し、例えば本体の一部として設置するＵＳＢ・ＬＥＤ照明スタンドを始めとして、使用者の目的により、ＵＳＢ扇風機や、スマートホン、ｉパッド、携帯音響機器、ゲーム機が使用出来、充電も出来る環境を構築した。【００１３】  棚板上面に設置したＵＳＢ・ＬＥＤ聡明スタンドは読書の出来る明るさを有している。【００１４】  棚板に、ＵＳＢ人感センサーや、ＵＳＢ・ＬＥＤ照明スタンドを取り付け、棚板上面の余ったスペースは、他のＵＳＢ機器を置くスペースとしたり、小さな花鉢や装飾品を添えるスペースとして利用する事により、本考案のもう一つの目的である、実効性と共に、僅かなスペースの中ではあるが、ゆったりとした寛げる空間を演出する事が出来る。【００１５】  また、背板に設けた、ＵＳＢ人感センサーは、使用者がその場を離れた時、設定により、ＵＳＢの電源を切る事も出来、節電にも配慮した構成となっている。
【図面の簡単な説明】
【００１６】
【図１】本考案の正面図
【図２】本考案の側面図
【図３】本考案の斜視図
【考案を実施するための形態】
【００１７】  以下、本考案の実施の形態を説明する。
（イ）細長状の小巾な棚板（１）を用意する。
（ロ）棚板（１）の横巾と同じ巾で、棚板（１）の正面奥手に、背板（２）を設ける。
（ハ）棚板（１）の裏面（３）には、ＡＣ電源コード（４）につながる、複数の差し込み口（５）を持つ、ＡＣコンセント（６）設け、その内の一つはＵＳＢアダプター（７）につなぎ、ＤＣ電源に変換する。
（ニ）変換したＤＣ電源を背板（２）の、機能上最適と思われる、任意の位置に取り付けた、ＵＳＢ人感センサー（８）を通す。
（ホ）ＵＳＢ人感センサー（８）を通った電源を、棚板（１）の裏面（３）の、操作上良好と思われる、任意な位置に取り付けた、複数のＵＳＢポート（９）を持つＵＳＢハブ（１０）につなぐ。
（ヘ）ＵＳＢ人感センサー（８）は、人の動きによりスイッチを入り切り出来るので、設定により、これ以降のＵＳＢハブ（１０）への電流をコントロール出来、ＵＳＢ機器の節電に役立つ。
（ト）ＵＳＢハブ（１０）のＵＳＢポート（９）の一つは、棚板（１）の上面（１１）に取り付けた、ＵＳＢ・ＬＥＤ照明スタンド（１２）の給電用として使用し、他のポートは使用者の好みのＵＳＢ機器、例えば、ＵＳＢ扇風機（１３）、スマートフォン、ｉパッド、携帯音響機器、ゲーム機用等として使うために用意され、充電も出来る。
（チ）棚板（１）の上面（１１）の余地は、この考案の課題である、狭いスペースであっても、ゆったりと寛げる空間を演出したい、と言う目的のために用意されたものであり、ここは、使用者の好みのＵＳＢ機器を置いたり、小さな花鉢や装飾品を置くスペースとして提供される。
【符号の説明】
【００１８】１      棚板
２      背板
３      裏面
４      ＡＣ電源コード
５      差し込み口
６      ＡＣコンセント
７      ＵＳＢアダプター
８      ＵＳＢ人感センサー
９      ＵＳＢポート
１０    ＵＳＢハブ
１１    上面
１２    ＵＳＢ・ＬＥＤ照明スタンド
１３    ＵＳＢ扇風機
１４    Ｌアングル
【図１】
0003201179.tif 000003
【図２】
0003201179.tif 000004
【図３】
0003201179.tif 000005
(57)【要約】      （修正有）【課題】皿に注いであるスープをスプーン等を使って口元に運ぼうとする時、スープを零したり、皿の周りのテーブルや衣服を汚したりすることを防止するためのスープ皿を提供する。【解決手段】一面の口縁に少し高めの斜壁１と、その斜壁１の下の汁溜り３に窪み２を設けた。例えスープが零れても、その斜壁１によって周囲を汚すことの無く、又窪み２に溜まるスープをスプーン等で掬いやすい。【選択図】図１
0003201176.tif 000002
【実用新案登録請求の範囲】
【請求項１】
皿に注いであるスープをスプーン等を使って口元に運ぼうとする時、スープを零したり、皿の周りのテーブルや衣服を汚したりすることが多いので、それを防止するためのスープ皿であって、
一面の口縁に少し高めの斜壁と、その斜壁の下の汁溜りに窪みを設けて、例えスープが零れても、その斜壁によって周囲を汚すことの無い、又窪みに溜まるスープをスプーン等で掬いやすいを特徴とした、一面の口縁に斜壁と窪みを用いたスープ皿。
【考案の詳細な説明】
【技術分野】
【考案の詳細な説明】
【０００１】  人々が、スープ皿を使用するとき、口元を近づける一面の口縁を少し高めの斜壁にして、その下の汁溜りに窪みを設け、テーブルの周囲や衣服を汚すことの無いスープ皿。
【背景技術】
【０００２】  従来のスープ皿は、中央にスープを寄せ集めるために少し深めになっている。
【考案の開示】
【考案が解決しようとする課題】
【０００３】  特に、一般の人々と比べて、障害者の人達（幼児や老人等含）は、どうしても皿に注いであるスープを零して、テーブルの周囲や衣服を汚す確率が高い．【０００４】  従来のスープ皿は、中央の少し深めになっている部分にスープを集めるだけなので、障害者の人達は最後までスープをスプーン等で掬い取ることが出来ない。
【課題を解決するための手段】
【０００５】  一般の人達同様、特に障害者の人達の、使いやすいスープ皿にする為に、口元を近づける一面の口縁を少し高めの斜壁にして、その斜壁の下の汁溜りに窪みを設ける。
【考案の効果】
【０００６】  口元を近づけるスープ皿の一面の口縁が少し高めの斜壁であるために、従来のようなスープをスプーン等から零して、テーブルの周囲や衣服を汚したりすことが無く、又斜壁の下の汁溜り部に窪みがあることにより、溜まってくるスープを楽に掬える。【０００７】  スープ皿は、お茶やジュース等、多目的に利用できるのでストロー等でも使用できる。
【考案を実施するための最良の形態】
【０００８】  スープ皿一面の口縁の斜壁は、上部から皿の表面に向かって勾配を付ける。【０００９】  スープ皿の汁溜りは、窪みに向かって勾配を付け、スープを溜まりやすくする。
【図面の簡単な説明】
【００１０】
【図１】（Ａ）平面図  （Ｂ）断面図  （Ｃ）側面図  本考案の実施形態を示す
【符号の説明】
【００１１】  １    斜壁
２    窪
３    汁溜り
４    胴
５    勾配（↑）
６    口縁
７    高台
【図１】
0003201176.tif 000003
(57)【要約】【課題】  患者の眼の洗浄液などを漏れなく、しかも迅速に受水、除去することができる医療器具用ドレ−プの提供を目的とする。【解決手段】  患者の顔面などを覆うとともに、患者の眼に対応する位置に開口２を有しており、かつ前記開口２に近接する位置に配置した受水袋３の入口部に可撓性細線４を配設して可撓性細線４を変形、立ち上がらせて受水し易くするとともに、前記患者の眼の開口２を中心にして上下に配置した洗浄液誘導用折り畳みフイルム５を前記受水袋３の入口部内面に沿って固定して、洗浄液を誘導し易くした。【選択図】図１
0003201180.tif 000002
【実用新案登録請求の範囲】
【請求項１】
患者の顔面などを覆うとともに、患者の眼に対応する位置に開口を有しており、かつ前記開口に近接する位置に配置した受水袋の受水部に可撓性細線を配設して可撓性細線を変形して受水し易くするとともに、前記患者の眼の開口を中心にして上下に配置、固定した洗浄液誘導用折り畳みフイルム端部上面を前記受水袋の入口部内面に沿って固定して、洗浄液を誘導し易くしたことを特徴とする眼科用ドレ−プ。
【考案の詳細な説明】
【技術分野】
【０００１】  本考案は、眼科用ドレ−プに関するものである。
【背景技術】
【０００２】  患者の眼の手術の場合には、患者の眼だけを露出させて、患者の眼の各種の手術を施すことが少なくないが、この場合には、患者を上向きにベッド上に横臥させ、患者の顔などを眼科用ドレ−プで覆い、ドレ−プの開口部を患者の眼に合わせて各種の手術が行われる。患者の眼の手術に際しては、眼の洗浄などが必要であり、各種の眼科用ドレ−プには改善が試みられている。眼科用洗浄液（灌流水などの処理液を含む）は、速やかに眼から除去される必要があるが、未だ、十分とはいえないのが現状である。【０００３】  従来の眼科用ドレ−プとしては、例えば  特許文献１に記載の眼科用ドレ−プを例示することができるが、患者の呼吸を容易にするという点では、優れているが、患者の眼の洗浄液を漏れなく、しかも迅速に除去することができないという致命的な結果がある。
【先行技術文献】
【０００４】
【特許文献１】  特表２０１３−５０２２８６号公報
【０００５】
【考案の概要】
【考案が解決しようとする課題】
【０００６】  本考案は、かかる現状に鑑み、患者の眼の洗浄液などを漏れなく、しかも迅速に除去することができる医療器具用ドレ−プの提供を目的とするものである。
【課題を解決するための手段】
【０００７】  本考案は、上記目的を達成するものであって、患者の顔面などを覆うとともに、患者の眼に対応する位置に開口を有しており、かつ前記開口に近接する位置に配置した受水袋の入口部に可撓性細線を配設して可撓性細線を変形して受水し易くするとともに、前記患者の眼の開口を中心にして上下に配置、固定した洗浄用水誘導用折り畳みフイルムの端部上面を前記受水袋の入口部内面に沿って固定して、洗浄液を誘導し易くしたことを特徴とする眼科用ドレ−プである。
【考案の効果】
【０００８】  本考案の眼科用ドレ−プでは、患者の顔面などを覆うとともに、患者の眼に対応する位置に開口を有しており、しかも前記開口に近接する位置に配置した受水袋の入口部に可撓性細線を配設して可撓性細線を変形して受水し易くするとともに、前記患者の眼の開口を中心にして上下に配置した洗浄用水誘導用折り畳みフイルム端部を前記受水袋の入口部内面に沿って固定して、洗浄液を誘導し易くしたものであり、患者の眼の洗浄に使用された洗浄液などは、患者の眼の開口を中心にして上下に配置した洗浄用水誘導用折り畳みフイルムによって、確実に漏れなく、完全に誘導されるとともに、受水袋の入口部に配設した可撓性細線の開口変形によって確実に受水されることとなる。
【図面の簡単な説明】
【０００９】
【図１】  本考案の眼科用ドレ−プの一実施態様を示す平面図である。
【図２】  図１の要部拡大図である。
【図３】  本考案の眼科用ドレ−プの実施態様を示す要部拡大斜面図である。
【考案を実施するための形態】
【００１０】  以下、図面に基づいて本考案の実施態様を詳細に説明する。
図１ないし図３において、１は本考案の眼科用ドレ−プであって、該眼科用ドレ−プ１は患者の顔面などを覆うとともに、患者の眼に対応する位置に開口２を有している。
そして、前記開口２に近接する位置に配置した受水袋３の入口部に可撓性細線４を配設して可撓性細線４を立ち上がらせて受水袋３の開口度を増加させて、受水し易くするとともに、前記患者の眼の開口を中心にして上下に配置した洗浄液誘導用折り畳みフイルム５を前記受水袋３の入口部内面に沿って固定して、洗浄液を誘導し易くした。ここで、前記フイルム５は、長手方向に略中心線で折り畳まれており、下面は、眼科ドレ−プ１に固定されている。前記フイルム５は、受水袋３まで延長されていて、その端部は、受水袋３の入口部内面に固定されている。
【００１１】  このため、図３に示すように、受水袋３の入口部に配設された可撓性細線４を変形して立ち上げた場合には、受水袋３の開口が増大するとともに、洗浄液誘導用折り畳みフイルム５の端部上面も受水袋３の入口部内面に固定されているため、上方に移動し、折り畳み状態が解除され、引き延ばされて洗浄用水の誘導を確実に行うことがが可能である。
【符号の説明】
【００１２】    １    眼科用ドレ−プ
２    開口
３    受水袋
４    可撓性細線
５    洗浄液誘導用折り畳みフイルム
【図１】
0003201180.tif 000003
【図２】
0003201180.tif 000004
【図３】
0003201180.tif 000005
(57)【要約】      （修正有）【課題】魚体内で変形しない強度を有し、確実に内臓を引き出すことができる、使い勝手の良い魚用内蔵除去具を提供する。【解決手段】一対の棒状部材Ａ、Ｂよりなり、一対の棒状部材Ａ、Ｂを魚の口から魚体内に挿入して内臓を挟み引き出す構成をとる。棒状部材Ａ、Ｂは先端部１・中間部２・グリップ部３から成り、先端部１には複数の溝１１が形成され、複数の溝１１に内蔵が引っ掛かり、容易に内臓を挟み引き出すことが可能である。棒状部材Ａ、Ｂは金属製の角棒であって、作業中に曲がったり折れたりすることがない。また、グリップ部３に樹脂製のチューブ３３が被着されており、作業者が本除去具を握りやすい構成としている。さらに、グリップ部３端部に懸架用尻手ロープ３４が設置されており、懸架による保管が可能となっている。【選択図】図１
0003201105.tif 000002
【実用新案登録請求の範囲】
【請求項１】
一対の棒状部材より成る魚用内蔵除去具であって該棒状部材は、
複数の溝が形成された先端部と、
前記先端部から連続する中間部と、
前記中間部から連続するグリップ部と、
から成り、前記一対の棒状部材を魚の口から魚体内に挿入し、内臓を挟み引き出すことを特徴とする魚用内蔵除去具。
【請求項２】
前記棒状部材は金属製の角棒であることを特徴とする請求項１記載の魚用内蔵除去具。
【請求項３】
前記グリップ部は樹脂製のチューブが被着されていることを特徴とする請求項１又は２記載の魚用内蔵除去具。
【請求項４】
前記グリップ部の端部には懸架用尻手ロープが設置されていることを特徴とする請求項１乃至３のいずれかに記載の魚用内蔵除去具。
【考案の詳細な説明】
【技術分野】
【０００１】
本考案は、魚のえら、ワタ等の内蔵を除去するための用具に関する。
【背景技術】
【０００２】
魚のえら、ワタ等の内蔵（以降、単に「内臓」という。）を除去するには、包丁等の刃物を使用して切除するほか、従来より、割り箸もしくは菜箸などを魚の口から挿入し内蔵を引き出す方法がとられている。また、近年は、トング仕様のステンレス製内蔵除去具（図４）が市販されている。
【考案の概要】
【考案が解決しようとする課題】
【０００３】
包丁等の刃物を使用して魚の内蔵を除去する場合は、まな板等の台が必要となるうえ、指を創傷する危険を伴う。また、割り箸等を魚体の口から挿入して内蔵等を挟み出す方法は、対象の魚によっては箸がすぐに折れてしまうことが多い。
【０００４】
上述の問題を踏まえて現在市販されている前記ステンレス製内蔵除去具は、図４に示すように素材が薄く硬度に欠けるため、魚体内で棒部が湾曲してしまうことが多いうえ、棒部に設けられた溝が内蔵を引っ掛けるのに十分な深さを有さないために滑ってしまい、繰り返し作業をしても目的を果たせないことが多い。
【０００５】
これらの問題に鑑み、本考案においては、魚体内で変形しない強度を有し、確実に内臓を引き出すことができる、使い勝手の良い魚用内蔵除去具を提供することを課題とする。
【課題を解決するための手段】
【０００６】
上記課題を解決するために、請求項１の魚用内蔵除去具は、一対の棒状部材よりなり、前記一対の棒状部材を魚の口から魚体内に挿入して内臓を挟み引き出す構成となっている。該棒状部材は先端部・中間部・グリップ部から成り、前記先端部には複数の溝が形成され、該複数の溝に内蔵が引っ掛かり、容易に内臓を引き出すことが可能であることを特徴とする。
【０００７】
請求項２の魚用内蔵除去具は、前記棒状部材は金属製の角棒であって、作業中に折れたり曲がったりすることがないことを特徴とする。
【０００８】
請求項３の魚用内蔵除去具は、グリップ部に樹脂製のチューブが被着されており、作業者が本除去具を握りやすい構成としていることを特徴とする。
【０００９】
請求項４の魚用内蔵除去具は、グリップ部端部に懸架用尻手ロープが設置されており、懸架による保管が可能となっていることを特徴とする。
【考案の効果】
【００１０】
本考案により、包丁やまな板を使用せずに魚の内臓を除去することが可能となる。
【００１１】
先端部に複数の溝が形成された棒状部材により、内臓を確実に挟み引き出すことができる。また、金属製の角棒を使用しているため、折れたり変形したりする心配がない。
【００１２】
グリップ部に樹脂製のチューブを被着させ、手が滑ることなく作業を行うことができる。さらに、グリップ部端部に懸架用尻手ロープが設置されているものについては、台所等における懸架による保管が可能となる。
【図面の簡単な説明】
【００１３】
【図１】本実施形態の魚用内蔵除去具の写真である。
【図２】本実施形態の魚用内蔵除去具を魚体の口から挿入した状態の写真である。
【図３】本実施形態の魚用内蔵除去具により内臓が引き出された状態の写真である。
【図４】現在市販されている代表的な魚用内蔵除去具の写真である。
【考案を実施するための形態】
【００１４】
本考案の１実施形態について図を用いて説明する。本実施形態に係る魚用内蔵除去具は、請求項４に記載の魚用内蔵除去具である（以降、単に「本具」と記する）。
【００１５】
図１に示すように、本具は一対の棒状部材Ａ・Ｂにより構成される。素材は市販されているもの（図４）と同様、防錆材としてステンレスを用いているが、市販のものが薄い板状であるのに対し、本具は４ｍｍ角の頑強な角棒となっている。長さは約３００ｍｍまでの魚体に対応できるように、２００ｍｍのものと２５０ｍｍのものが用意されている。
【００１６】
本具を構成する棒状部材Ａ・Ｂは、各々が先端部１、中間部２及びグリップ部３の各領域を有し（図１）、魚の口から魚体内に挿入し（図２）、内臓を挟み引き出す（図３）構成となっている。挿入時にワタまで達する先端部１には、十分な深さと鋭いエッジを有する７つの溝１１が短手方向に形成されており（図１）、溝１１により魚体内で確実にワタやえら等を引っ掛け挟んで口から引き出すことを可能としている（図３）。
【００１７】
また、グリップ部３には、強度及び耐水性に優れる樹脂製の収縮チューブ３３が被着されており、滑らず確実な握り手を実現している。さらに、グリップ部３の端部には懸架用の尻手ロープ３４が設置されており、台所等に懸架しての保管が可能となっている。
【００１８】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することが可能である。例えば、請求項１の内蔵除去具にあっては、棒状部材として曲面を有する棒を用いたり、セラミックス等の素材を使用することも可能である。また、溝についても本実施形態とは異なる形状・数の溝を形成することも可能であり、それらについての本実施形態と異なる形態による実施は、本考案の技術的範囲に含まれるものと解する。
【符号の説明】
【００１９】
Ａ    棒状部材（内蔵除去具）
Ｂ    棒状部材（内蔵除去具）
１    先端部
１１  溝
２    中間部
３    グリップ部
３３  チューブ
３４  懸架用尻手ロープ
４    魚体
４１  内臓
５    市販の内蔵除去具
５１  溝
【図１】
0003201105.tif 000003
【図２】
0003201105.tif 000004
【図３】
0003201105.tif 000005
【図４】
0003201105.tif 000006
(57)【要約】      （修正有）【課題】肌ざわりが優しく、泡立ちの良いスポンジ入り手拭いを提供する。【解決手段】筒状に縫った日本手拭い１の中央に、手のひら大のスポンジ２を内蔵する。日本手拭いは、肌ざわりが優しく背中を洗う際は、両端を手に持って背中に回す事で洗いやすい。スポンジを内蔵する事により、泡立ちが良くなる。【選択図】図１
0003201159.tif 000002
【実用新案登録請求の範囲】
【請求項１】
筒状に縫った日本手拭いの中央に、手のひら大のスポンジを内蔵したスポンジ入り手拭い。
【考案の詳細な説明】
【技術分野】
【０００１】
この考案は日本手拭いにスポンジを内蔵させたスポンジ入り手拭いに関するものである。
【背景技術】
【０００２】
従来、入浴時に体を洗う際には、泡立ちの良いナイロンタオルやスポンジ、又はボディーブラシが使用されていた。
【先行技術文献】
【特許文献】
【０００３】
【考案の概要】
【考案が解決しようとする課題】
【０００４】
これらには、次の様な不都合がある。
ナイロンタオルは強くこする事による皮膚の色素沈着や、油分不足による皮膚乾燥や皮膚掻痒症を招きやすく健康に良いとは言えない。スポンジは背中に手が届きにくく、洗い残しが生じやすい。ボディーブラシは背中を洗う際には便利だが、胸や腹を洗う際には、柄の部分がかえってじゃまになり使いづらさを感じる。
本実用新案は以上のような不都合を無くすためになされたものである。
【課題を解決するための手段】
【０００５】
そこで、近年見直されている日本手拭いの刺激が少ない肌触りに着目した。手拭いの両端を手で持って背中に回せば容易に背中を洗う事もできる。しかし一方、日本手拭いは泡立ちが悪いという欠点がある。それを補うために、手拭いの中にスポンジを入れ泡立ちの問題を解消出来た。
本実用新案は以上の構成よりなるスポンジ入り手拭いである。
【考案の効果】
【０００６】
背中を洗う際の使い勝手が良く刺激の少ない肌触りではあるが、泡立ちが悪い日本手拭いの中に、泡立ちの良いスポンジを内蔵する事により、使い勝手、肌触り、泡立ち共に課題を解決する事が出来た。
【図面の簡単な説明】
【０００７】
【図１】本考案の正面図である。
【考案を実施するための形態】
【０００８】
以下、本実用新案を実施するための形態について説明する。
日本手拭い1本を縦半分に裁断し1枚のみを使用する。裁断した手拭い（1）を縦に長い筒状になるように縫う。手のひら大の大きさで３〜４ｃｍ厚さのスポンジ（２）を筒状の日本手拭いの中央に入れ込み、スポンジを日本手拭い内に固定するためにスポンジの両側部分に当たる手拭いを閉じ合わせる（３）。
本考案のスポンジ入り手拭いを使用すれば、気持ち良く体を洗う事が可能である。
【符号の説明】
【０００９】
１  日本手拭い
２  スポンジ
３  スポンジ固定用の縫い目
【図１】
0003201159.tif 000003
(57)【要約】      （修正有）【課題】遊び感覚で使用し得る成形器具として使用して、子供や主婦グループの集まりで各自の創造性にしたがって成形して、最後に光照射、光重合によって硬質の成形体を作成することが可能な簡易な光重合性樹脂成形用器具を提供する。【解決手段】光重合性樹脂液を貯留し得る凹部を備えた大形の下成形台２と光重合性樹脂液を上から押下し得る凸部であって下成形台２よりも小形の凸部を備えた上成形台３とからなり、下成形台２と上成形台３は、光重合性樹脂液を硬化し得る光が透過するように光透過性プラスチックから形成されている。【選択図】図１
0003201651.tif 000002
【実用新案登録請求の範囲】
【請求項１】
光重合性樹脂液を貯留し得る凹部を備えた大形の下成形台と光重合性樹脂液を上から押下し得る凸部であって前記下台よりも小形の凸部を備えた上成形台とからなり、前記下成形台と上成形台は、光重合性樹脂液を硬化し得る光が透過するように光透過性プラスチックから形成されていることを特徴とする光重合性樹脂成形用器具。
【考案の詳細な説明】
【技術分野】
【０００１】  本考案は、光重合性樹脂液を用いて光重合させて所望の形状に成形するための光重合性樹脂成形器具に関するものである。
【背景技術】
【０００２】  光重合性樹脂成形装置としては、各種の複雑な高級装置が開発されていて、例えば特許文献１に記載されているように、樹脂液の供給や成形そして光重合のための光照射に複雑な機構を備えており、成形に高額の費用がかかるものが知られている。
【先行技術文献】
【特許文献】
【０００３】
【特許文献１】  特開２０００−２１１０３７号公報
【０００４】  しかし、このような公知の複雑な光重合性樹脂成形装置は、機械での自動運転によるものであり、多額の費用を要し、簡易に光重合樹脂液を用いて、子供やグループ活動の主婦などが各々の想像力を加えて遊び感覚で使用する成形装置としては、適切ではないのが実情である。
【考案の概要】
【考案が解決しようとする課題】
【０００５】  本考案は、上記のような従来の欠点を改善して、遊び感覚で使用し得る成形器具として使用して、子供や主婦グループの集まりで各自の創造性にしたがって成形し、最後に光重合によって硬質の成形体を作成することにより、今まで考えられなかった光重合性樹脂成形体を得ることの可能な簡易な光重合性樹脂成形器具を提供することを目的とするものである。
【課題を解決するための手段】
【０００６】  本考案は上記の目的を達成するものであって、請求項１の考案は、光重合性樹脂液を貯留し得る凹部を備えた大形の下成形台と、光重合性樹脂液を上から押下し得る凸部（下に凸）であって前記下成形台よりも小形の凸部を備えた上成形台とからなり、前記下成形台と上成形台は、光重合性樹脂液を硬化し得る光が透過するように光透過性プラスチックから形成されていることを特徴とする光重合性樹脂成形用器具である。【０００７】
【考案の効果】
【０００８】  本考案の光重合性樹脂成形用器具は、光重合性樹脂液を貯留し得る凹部を備えた大形の下成形台に、適量の光重合性樹脂液を装填し、次いで樹脂液の上から押下し得る凸部を備えた上成形台を載せて、押下して所望の均等な厚さの樹脂層を形成し、最後に光照射、光重合によって硬質の成形体を作成することにより、簡易に多種類の光重合性樹脂成形体を得ることが可能である。樹脂成形体の形状、着色などを変化させたり、あるいは樹脂成形体内部に各自の創造性に従って各種物品などを装填するなどによって、創造性の豊かな光重合性樹脂成形体を得ることも可能である。
【図面の簡単な説明】
【０００９】
【図１】  本考案の光重合性樹脂成形用器具の一例を示す正面断面図である。
【考案を実施するための形態】
【００１０】  以下、本考案を図示の実施例に従って詳細に説明する。
【００１１】  図１において、１は本考案の光重合性樹脂成形用器具であり、該光重合性樹脂成形用器具１は、光重合性樹脂液を貯留し得る凹部を備えた大形の下成形台２と光重合性樹脂液を上から押下し得る凸部であって前記下成形台よりも小形の凸部を備えた上成形台３とからなり、前記下成形台２と上成形台３は、図においては、断面が半円形となる半球形状としたが、これに限らず三角形状、多角形状、放物線形状などの各種の形状とすることも可能である。なお、図では、一つの形状のものだけを開示したか、同一形状のものを縦、横、斜め方向に多数形成しておけは、同−形状のものを同時に多数形成することも可能である。
【００１２】  本考案においては、下成形台２と上成形台３とは、前者が大形であり、後者が小形（例えば，断面で１ｍｍだけ小さい）であるので、両者の間は、均等な厚みとなるように形成されているが、必要に応じて変動させることも可能である。
【００１３】  さらに、上記の上成形台３の上からの押下の程度は、空隙が生じないように樹脂液が適度に移動できれば良いのであり、樹脂液を過剰に押圧する必要はない。
【符号の説明】
【００１４】  １：光重合性樹脂成形用器具
２：下成形台
３：上成形台
【図１】
0003201651.tif 000003
【手続補正書】
【提出日】平成27年9月29日(2015.9.29)
【手続補正１】
【補正対象書類名】実用新案登録請求の範囲
【補正対象項目名】全文
【補正方法】変更
【補正の内容】
【実用新案登録請求の範囲】
【請求項１】
光重合性樹脂液を貯留し得る凹部を備えた大形の下成形台と光重合性樹脂液を上から押下し得る凸部であって前記下成形台の凹部よりも小形の凸部を備えた上成形台とからなり、前記下成形台と上成形台は、光重合性樹脂液を硬化し得る光が透過するように光透過性プラスチックから形成されていることを特徴とする光重合性樹脂成形用器具。
(57)【要約】      （修正有）【課題】ペットボトルで水出し茶を作ることができる水出し茶の紙パックを提供する。【解決手段】水出し茶の紙パックであって、ペットボトルの入口直径２０ミリ以内に入り、細長い形状を有する。【選択図】図１
0003201652.tif 000002
【実用新案登録請求の範囲】
【請求項１】
ペットボトルの入口直径20ミリ以内に入る細長い紙用水出し茶
【考案の詳細な説明】
【考案の概要】
【考案の効果】
【０００１】
ペットボトル容器で茶が作れる
【図面の簡単な説明】
【０００２】
【図１】ペットボトルに入る水出し茶
【図１】
0003201652.tif 000003
【手続補正書】
【提出日】平成27年10月14日(2015.10.14)
【手続補正１】
【補正対象書類名】実用新案登録請求の範囲
【補正対象項目名】全文
【補正方法】変更
【補正の内容】
【実用新案登録請求の範囲】
【請求項１】
ペットボトルの入口直径20ミリ以内に入り、細長い形状を有することを特徴とする水出し茶の紙パック。
【手続補正書】
【提出日】平成27年10月14日(2015.10.14)
【手続補正１】
【補正対象書類名】実用新案登録請求の範囲
【補正対象項目名】全文
【補正方法】変更
【補正の内容】
【実用新案登録請求の範囲】
【請求項１】
ペットボトルの入口直径20ミリ以内に入り、細長い形状を有することを特徴とする水出し茶の紙パック。
(57)【要約】      （修正有）【課題】小さなスペース、少ない水量、で繰り返し建物内で癒しの音を出す装置（癒やしの音次郎）を提供する。【解決手段】固定スタンド１にペットボトル２を固定して、水滴を落下させて水滴受け容器で受けた時の衝撃音をビニール管７全体で共鳴させて開口部８より共鳴音をだす。落ちた水滴は穴を通りドレン受け及び、配管を通り改修ボトル１１で改修しペットボトルに注入して再利用する。【選択図】図２
0003201659.tif 000002
【実用新案登録請求の範囲】
【請求項１】
固定スタンド（１）にペットボトル（２）を固定し水敵を落下させて、水敵受け容器（４）で受けた衝撃音をビニール管内全体（７）で共鳴させ、開口部（８）で共鳴音を出す。又落ちた水敵は水改修ボトル（１１）で受けペットボトル（２）に注入し再利用する構造を特徴とする、癒しの音次郎。
【考案の詳細な説明】
【技術分野】
【０００１】  本考案は、ビニール管１００ＶＵの管内に水敵を落下し、銅製の容器で受けた水敵の衝撃音を共鳴させる装置で、癒しの音次郎に関するものである。
【背景技術】
【０００２】  従来、癒し系の水の音を自然に出すとしたらある程度のスペース及び水量が必要であった。
【考案の概要】
【考案が解決しようとする課題】
【０００３】  従来、それなりの癒し系の水の音を自然に出そうとしたらある程度のスペースや、水量及び落差などが必要で一般的な建物内では設置が難しかった。
本考案は、以上のような欠点をなくするためになされたものである。
【課題を解決するための手段】
【０００４】  図２、図４のように固定スタンド（１）にペットボトル（２）を固定して、水敵を落下させて水敵受け容器（４）で受けた時の衝撃音をビニール管内全体（７）で共鳴させて、開口部（８）より共鳴音を出す。落ちた水敵は穴（５）を通り、ドレン受け（６）及び配管を通り改修ボトル（１１）で改修し、ペットボトル（２）に注入し再利用する。以上の構成よりなる、癒しの音次郎である。
【考案の効果】
【０００５】  本考案の癒しの音次郎は、小さなスペースでペットボトル１本で、水敵の共鳴音を何度でも楽しむ事が出来る。但し蒸発水のみ注ぎ出しする。
【考案を実施する為の形態】
【０００６】  以下、本考案を実施する為の最良の形態について図面に示し実施例に基づいて具体的に説明する。
【０００７】  固定スタンド（１）にペットボトル（２）を固定して、水敵を落下させ水敵受け容器（４）で受けた時の衝撃音をビニール管内全体（７）で共鳴させて、開口部（８）より共鳴音を出す。
落ちた水敵は穴（５）を通り、ドレン受け（６）及び配管を通り改修ボトル（１１）で改修し、ペットボトル（２）に注入する。
水敵受け容器（４）は水はけを良くする為に、少し斜めにする。
又水敵受け容器（４）と、水敵受け容器固定棒（３）の間にゴム板（１４）を挟む以下、この説明・手順に限定されるものではない。
【図面の簡単な説明】
【０００８】
【図１】  平面図
【図２】  正面図
【図３】  平面詳細図
【図４】  断面詳細図
【符号の説明】
【０００９】  １    固定スタンド
２    ペットボトル
３    水敵受け容器固定棒
４    水敵受け容器（銅製）
５    水抜き穴（５ｍｍφ）
６    ドレン受け
７    １００ＶＵ管
８    排水継手（１００＊７５ＤＴ）
９    排水継手（１００Ｓ）
１０  排水継手（１００＊４０ＤＴ）
１１  水改修ボトル
１２  ドレンパン
１３  排水継手（１００キャップ）
１４  ゴム板
【図１】
0003201659.tif 000003
【図２】
0003201659.tif 000004
【図３】
0003201659.tif 000005
【図４】
0003201659.tif 000006
(57)【要約】      （修正有）【課題】簡単に水栓柱に散水ノズルを取り付けることができる散水ノズルフックを提供する。【解決手段】水栓柱８に取り付けた散水ノズルフック２に散水ノズル６を挿入口に差し込み、容易に取り付けする事ができる散水ノズルフック２をビス固定することなく使用することができるようにする。【選択図】図４
0003201655.tif 000002
【実用新案登録請求の範囲】
【請求項１】
水栓柱の水道蛇口根元に掛ける蛇口掛けフックを設け散水ノズルフックと一体化して振れ止めツバを水栓柱に挟みこむように安定させた散水ノズルフック。
【考案の詳細な説明】
【技術分野】
【０００１】この考案は散水ノズルを使用した後に放置することなく保管場所を解決するために、水栓柱の蛇口根元に散水ノズルフックを掛けてそこに散水ノズルを収納しておくことができ容易に取り付けができるようにしたものである。
【背景技術】
【０００２】従来は、ホースリールに散水ノズルフックを保持する物が設けられている物があるが保持するだけの物で使用するのに不安定で難しかった。また、ホース単独で散水ノズルだけを装着して使用する場合ノズルの保管場所が無く容易に対応できる物がなく不便であった。
【考案の概要】
【考案が解決しようとしている課題】
【０００３】散水ノズルを使用した後にノズルを保管する適当な場所が無く地面に放置する問題点がある。蛇口が一口の時、散水ホースをつなげているため手を洗いたい時にノズルを持つため非常に洗い難く一人では使用し難い問題点がありまた、水栓柱に容易にノズルフックを取り付けする方法がない問題点があった。
【課題を解決するための手段】
【０００４】水栓柱８の蛇口に蛇口掛けフック１を掛けて振れ止めツバ３を水栓柱８に挟み込み不安定な時は両面テープ４で固定して散水ノズル６とホース７をノズル挿入口５に差し込み、容易に取り付けする事ができる散水ノズルフック２をビス固定することなく使用することができるようにした。
【考案の効果】
【０００５】散水ノズルフックは誰でも簡単に水栓柱に取り付ける事ができて散水ノズルを使用した後に地面に放置することなく水栓柱に取り付けられている散水ノズルフックに納めることができて安定しているため両手で手洗いすることができる。
【図面の簡単な説明】
【０００６】
【図１】本考案の平面図である。
【図２】本考案の立面図である。
【図３】本考案の断面図である。
【図４】本考案の使用状態を示す斜視図である。
【符号の説明】
【０００７】１  蛇口掛けフック
２  散水ノズルフック
３  振れ止めツバ
４  両面テープ
５  散水ノズル挿入口
６  散水ノズル
７  ホース
８  水栓柱
【図１】
0003201655.tif 000003
【図２】
0003201655.tif 000004
【図３】
0003201655.tif 000005
【図４】
0003201655.tif 000006
【手続補正書】
【提出日】平成27年9月30日(2015.9.30)
【手続補正１】
【補正対象書類名】実用新案登録請求の範囲
【補正対象項目名】全文
【補正方法】変更
【補正の内容】
【実用新案登録請求の範囲】
【請求項１】
水栓柱の水道蛇口根元に掛ける蛇口掛けフックを有し、散水ノズルフックと一体化した振れ止めツバにより水栓柱を挟みこむことで安定させた散水ノズルフック。
(57)【要約】      （修正有）【課題】施設しやすく、電線カバーに鳥が止まると同時に電線カバー自体が回転し、鳥がバランスを崩してその結果電線に止まれなくなる電線カバーを提供する。【解決手段】電線カバー１は、一定の長さを有する円筒形から成り、電線の直径より大きな内径を有し、電線カバーの端部２から２‘まで電線に装着するための切れ目３がヘリカル状に設けられている。一方の端部の切れ目を押し広げながら電線をヘリカル状の切れ目に沿って渦巻き状に回転させて反対の端部の切れ目まで電線を通して電線カバーの内側に電線をはめ込んで設置する事が出来る。このヘリカル状の切れ目によって何らかの衝撃等を受けても電線から脱落することが無い。【選択図】図１
0003201682.tif 000002
【実用新案登録請求の範囲】
【請求項１】
鳥が止まれないための電線カバー（１）であって、一定の長さを有する円筒形から成り、電線の直径より大きな内径を有し、電線カバー（１）の端部（２）から端部（２‘）まで電線に装着するための切れ目（３）がヘリカル状に設けられている事を特徴とする電線カバー（１）。
【考案の詳細な説明】
【技術分野】
【０００１】  本考案の電線カバーは、電線に止まる鳥類を防止する電線カバーに関するものである。
【背景技術】
【０００２】  従来、電線に止まる鳥類を防止するものとして、電線に電線の直径より太い内径を有し、端部から端部まで電線に装着するための切れ目を一直線状に設けられている円筒形の電線カバーが知られている。
【先行技術文献】
【０００３】
【特許文献】
【特許文献】  実用新案登録第３１９８６７０号
【考案の概要】
【考案が解決しようとする課題】
【０００４】  実用新案登録第３１９８６７０号のものは、電線に装着するための切れ目が一直線状に設けられているため、何らかの衝撃や経年変化により電線から脱落する欠点が有った。【０００５】  そのためにわざわざ電線カバーの外側に複数個の電線カバー脱落防止具取付溝を設けて、該溝に脱落防止具として例えば結束バンド等を取りつけなければいけない手間のかかる欠点が有った。【０００６】  更には脱落防止具等の装着具合を定期的に確認しないといけない手間のかかるものでも有った。
【課題を解決するための手段】
【０００７】  上記課題を解決するために本考案は、鳥が止まれないための電線カバー（１）であって、一定の長さを有する円筒形から成り、電線の直径より大きな内径を有し、電線カバー（１）の端部（２）から端部（２‘）まで電線に装着するための切れ目（３）がヘリカル状に設けられている事を特徴とする電線カバー（１）とする。【０００８】  更に電線カバー（１）の外側に複数個の電線カバー脱落防止具取付溝（４）が、外形より円周方向に設けられている事を特徴とし、特に電線カバー脱落防止具が結束バンドであれば好ましい。【０００８】  本考案の電線カバーは、以上のような構造であるため、既に電線が施設されている所に後から端部から端部まで切れ目がヘリカル状に設けられているため、この切れ目を押し広げながら電線をはめ込めば、後はヘリカル状の切れ目に沿って渦巻き状に回転させて反対の端部の切れ目まで電線を通すことで電線カバーの内側に簡単にはめ込む事が出来る。【０００９】  又、耐候性の良い円筒状のもの、例えばポリカーボネート等のパイプを使用する場合は、電線の長さに合わせて切断し、その端部から端部にヘリカル状の切れ目を入れるだけで良いためコストも大変安く抑える事の出来るものである。【００１０】  以上のように、施設しやすく、電線カバーに鳥が止まると同時に電線カバー自体が回転し、鳥がバランスを崩してその結果電線に止まれなくなる優れたものである。もちろん鳥を傷つけることもなく、電線カバーの有る所には止まれなくなるものとなる。
【図面の簡単な説明】
【００１１】
【図１】本考案の一実施例を示す斜視図である。
【図２】本考案の一実施例を示す平面図である。
【図３】本考案の図２におけるＡ−Ａ部を示す断面図である。
【考案を実施するための形態】
【００１２】  本考案における電線カバーの大きさ、デザイン、材質、製造方法等は特に限定されないが、製造しやすいものとしては汎用の耐候性のある例えばアクリル、ポリカーボネート等の紫外線劣化を起こしにくいもので数年単位の長期に渡って風雨にさらされても劣化の少ない合成樹脂からなるパイプが挙げられる。
【００１３】  施設する電線の太さや長さによって本考案の電線カバーの長さ、内径の大きさは適宜決めれば良い。もちろん電線カバーに装着する際のヘリカル状の切れ目の幅も素材の厚みや硬さ等により調節して設ければ良い。
【００１４】  又、同じ長さの電線カバーを大量に生産する場合は、パイプ状物にヘリカル状の切れ目を後加工によって設けても良く、又は上下割型と中子を組み合わせた金型にて成形して製造しても良い。
以下、実施例と図に基づき説明する。
【実施例】
【００１５】  以下、本考案の一実施例を図１、図２、及び図３で説明するがこれによって本考案は何ら限定されるものではない。【００１６】  図１は、本考案の電線カバー（１）を斜めからみた一例を示す斜視図である。一定の長さを有する円筒形状いわゆるパイプから成り、電線（４）の直径より大きな内径を有し、電線カバー（１）の端部（２）から端部（２‘）まで切れ目（３）がヘリカル状に設けられており、該切れ目（３）の端部（２）又は端部（２‘）のどちらかを押し広げて電線（４）をはめ込み、渦巻き状に電線を通して装着している。【００１７】  図２は、本考案の電線カバー（１）を平面方向から見た図である。【００１８】  図３は、本考案の電線カバー（１）のうち図２のＡ−Ａ部を断面で示した断面図である。
【産業上の利用の可能性】
【００１９】  本考案の電線カバーは既に電線が施設されていても後からでもヘリカル状に設けられた切れ目を押し広げて電線カバー内に電線をはめ込んで施設出来、このヘリカル状の切れ目により、何らかの衝撃を受けても電線から脱落することのない優れた電線カバーとなる。
【符号の説明】
【００２０】１  電線カバー    ２、２‘端部    ３  切れ目    ４  電線
【図１】
0003201682.tif 000003
【図２】
0003201682.tif 000004
【図３】
0003201682.tif 000005
(57)【要約】      （修正有）【課題】展示場等に展示されている車両のフロントガラスにおける車室内側に簡単に装着できて、車両の価格のみならずその他の情報を車両外部から視認できる表示具を提供する。【解決手段】自動車のフロントガラスに装着して当該フロントガラスからの車両の有益な情報を多く提示できる。シート状部はポリプロチレンの材質であり、４つの女子ポップを挿入する差し込み可能に形成されている。シート状部には、フロントガラスへの固定手段が設けられ、固定手段としては、フロントガラスの内面部に吸着しうる吸盤が設けられている。シート状部には、使用する自動車の特徴が書かれた女子ポップが表面部に表示されている。【選択図】図２
0003201683.tif 000002
【実用新案登録請求の範囲】
【請求項１】
自動車のフロントガラスにおける車室内側に設けられることで、車両の価格等の情報を車両外部から視認できる表示具であって、
前記情報が記載された表示紙が差し込まれる長方形状で、ポリプロピレンで形成されている複数の表示紙収納部と、
前記フロントガラスに固定するための吸盤と、
前記表示紙収納部の前記表示紙を差し込み可能な上半部位、下半部位におけるそれぞれの上端部における幅方向両端部に形成されている吸盤装着部と
によって構成されていることを特徴とする表示具。
【考案の詳細な説明】
【技術分野】
【０００１】  本考案は、展示場等に展示されている車両のフロントガラスにおける車室内側に設けられることで、車両の価格等の情報を車両外部から視認できるように表示する表示具に関する。
【背景技術】
【０００２】  従来、この種の表示具としては、下記の特許文献１のように、車両の価格が大きく表示されるとともに、走行距離等の車両におけるその他の特徴が小さく表示されるものがあった。
【特許文献１】特開２００４−３０１９２２号公報
【考案の概要】
【考案が解決しようとする課題】
【０００３】  しかしながら、この特許文献１の表示具においては、車両の価格が大きく表示されるのみで、表示具が設置された車両における装備品の特徴（例えば、エアコンを装備していることや、ナビゲーションシステムを装備していること等）に関する情報については、表示するスペースがなかった。また、表示を目立たせたり、分かりやすくしたりするためのデザインの変更もし難いため、車両の購入を検討している消費者にとって、車両における装備品の特徴といった検討材料となり得る情報を把握し難かった。【０００４】  そこで、本考案は、車両の価格だけでなく、車両の装備品の特徴といった情報を、消費者に対して把握しやすいように表示することができる表示具の提供を目的とする。また、ターゲットとする消費者の種類（性別、年齢等）応じた表示のデザインの変更や、表示の視認性を良くするための表示のデザインの変更に関して、車両販売店によって、容易に変更することができる表示具の提供を目的とする。
【課題を解決するための手段】
【０００５】  上記「考案が解決しようとする課題」において述べた問題を解決するためになされた表示具は、自動車のフロントガラスにおける車室内側に設けられることで、車両の価格等の情報を車両外部から視認できる表示具であって、その情報が記載された表示紙が差し込まれる長方形状で、ポリプロピレンで形成されている複数の表示紙収納部と、フロントガラスに固定するための吸盤と、表示紙収納部の表示紙を差し込み可能な上半部位、下半部位におけるそれぞれの上端部における幅方向両端部に形成されている吸盤装着部とによって構成されていることを特徴とする。【０００６】
【図面の簡単な説明】
【０００７】
【図１】本考案の一実施形態である表示具８の使用状態を示した斜視構成図である。
【図２】（ａ）は、本考案の一実施形態である表示具８の正面図であり、（ｂ）は、本考案の一実施形態である表示具８に表示紙６を挿入した使用状態を表した図である。
【考案を実施するための形態】
【０００８】  本考案の表示具を実施するための形態を、図面の実施例に基づいて説明する。
【実施例】
【０００９】  図１は、本考案の一実施形態である表示具８の使用状態を示した斜視構成図である。図１に示すように、表示具８は、屋外に展示される車両１００のフロントガラス７の車両内部側に設けられて、車両１００の装備品等の詳細な情報を表示するものである。また、表示具８は、半透明であって、炎天下でも変形しないような素材（ポリプロピレン）で構成されており、表示紙６（図２（ｂ）を参照。）の差し替えが容易にできるような構造である。【００１０】  図２（ａ）は、本考案の一実施形態である表示具８の正面図であり、図２（ｂ）は、本考案の一実施形態である表示具８に表示紙６を挿入した使用状態を表した図である。図２（ａ）および（ｂ）に示すように、表示具８は、表示紙６が収納される４つの収納部２と、車両のフロントガラスに固定するための吸盤１と、吸盤１が装着される４箇所の吸盤装着部３とで構成されている。【００１１】  また、図２（ａ）および（ｂ）に示すように、４つの収納部２の各々には、表示紙６を差し込むための差込口４が形成されている。さらに、収納部２の裏面には、表示紙６を収納部２に対して差し替えが容易になるように、切欠部５が形成されている。そして、４箇所の吸盤装着部３の各々には、吸盤１が装着されるための装着穴が形成されており、車両のフロントガラス等に固定するための吸盤１を装着する。【００１２】  このような表示具８であれば、車両１００のフロントガラス７の内側から、４つの吸盤１で固定するため、フロントガラス７のどのような位置にでも取り付けることができる。つまり、表示具８を利用して車両の価格だけでなく、車両の装備品の特徴といった情報を、消費者に対して把握しやすいような位置に表示することができる。【００１３】  この表示具８においては、収納部２に表示紙６を差し込むための差込口４と、表示紙６を収納部２に対して差し替えが容易になるような切欠部５が形成されている。したがって、このような表示具８を利用すれば、ターゲットとする消費者の種類（性別、年齢等）応じた表示のデザインの変更や、表示の視認性を良くするための表示のデザインの変更に関して、車両販売店によって、容易に変更することができる【００１４】  本考案は、前記の実施例に限定されるものではなく、実用新案登録請求の範囲の記載の範囲内で自在に変形実施可能である。特に表示具８の素材の種類、吸盤のような固定具の種類、表示具８の大きさについても自由である。
【符号の説明】
【００１５】  １…吸盤、２…収納部、３…吸盤装着部、４…差込口、５…切欠部、６…表示紙、７…フロントガラス、８…表示具、１００…車両。
【図１】
0003201683.tif 000003
【図２】
0003201683.tif 000004